(57)【要約】【課題】手は副子を必要とする患部を覆うように巻かれたギプス包帯内で損傷した血管から内出血が起こる。その結果手の内部は膨らんでいくが、ギプス包帯に覆われた部分は膨らもうとしてもギプス包帯に阻まれて膨らむことができないで覆われた部分の内部の内圧が上昇していき、血管の中にはその圧力によって骨硬化したギプス包帯に押し付けられるような力が加わって扁平になったり押しつぶされたりして血流が不十分になるものや閉塞して血流が停止する血管がでてくる。このことは怪我が治るための過程に悪影響を及ぼすだけでなく、血流が止まってしまったような場合にはそのこと自体が人体に対して重大な問題を発生させてしまう場合もある。【解決手段】内圧が高まり人体が副子内で膨張しようとする時、副子に凹凸からなる溝を持たせて、この溝部分が膨張した人体組織を受け入れることにより血管が扁平化したり閉塞したりしないように減圧する。【選択図】図１
2009285427.tif 000002
【特許請求の範囲】
【請求項１】
板状の可塑性樹脂に凹凸の加工を施して血流を確保するための溝を持つ副子。
【請求項２】
繊維で凹凸ができる形状に布を織り、その布に熱可塑性樹脂を塗布して硬化処理を行なうことで血流を確保するための溝を持つようにした副子。
【請求項３】
平面基材を加工して波形に変形させて平行に連続した血流を確保するための溝を持つ副子。
【請求項４】
平面基材に棒状基材を一定の間隔で平行に接着して連続した凹凸を持たせることで血流を確保するための溝を持つようにした副子。
【請求項５】
繊維で布を織る際に糸の量を変化させて一定の間隔で並行に連続した凹凸ができるようにして血流を確保するための溝を持つようにした布製の副子。
【発明の詳細な説明】
【技術分野】
【０００１】本発明は、骨折、脱臼、捻挫などの怪我の治療に際して患部を支持するための副子用板材とその形状に関する。
【背景技術】
【０００２】副子は患部を機械的強度によって支持して除痛と患部の治癒を促す機能を持っており、旧来の木質や金属製や加工の容易な軽量なプラスチック製や軽金属製のものなど数多くの種類のものがある。
ギプス包帯や熱可塑性の素材を使って患部を含めた必要な範囲を環状に巻き必要な支持形態にしてから硬化させて副子として使用するものや、板状またははしご状の金属や熱可塑性素材を支持したい患部の大きさに合わせて裁断してから患部にあてたうえで包帯やテープで固定をする方法などが代表的な従来技術である。
【発明の開示】
【発明が解決しようとする課題】
【０００３】従来技術の課題を具体的に説明するための例として手の怪我に対しギプス包帯を使用して患部を支持した時の様子を図４、図５、図６、図７に示した。
これらの模式図でのギプス包帯５０は、実際にはもっと広範囲に巻かれるものであるが、図面が複雑になり説明が困難になることから必要最小限度の範囲を模式図として示した。【０００４】手は副子を必要とする患部を覆うように巻かれたギプス包帯５０を境界として末梢側１と中枢側２に分けられる。
図４では怪我の直後にギプス包帯が巻かれた状態なので５０をはさんでいても１と２の間の血流は正常であり、矢印２０の方向から見た５０に覆われた手の内部の血管７０の様子も図５に示すように本来の血管の形状と機能を有している。
しかし怪我をした際に血管の損傷を伴っている時には手の内部で他の損傷した血管から内出血が起こる。
その結果手の内部８１は膨らんでいくが、５０に覆われた部分は膨らもうとしても５０に阻まれて膨らむことができない。
これによって５０に覆われた部分の内部８１の内圧が上昇していき、血管７０の中には図７に示すように、その圧力によって骨８０や硬化したギプス包帯５０に押し付けられるような力が加わって扁平になったり押しつぶされたりして血流が不十分になるものや閉塞して血流が停止する血管がでてくる。
この結果末梢部分１に流れてきた血液が５０に覆われた部分を通って２の方向へ戻っていきにくくなり徐々にその量が増えて図６の１に斜線で示すようなむくみや腫れが出てくる。【０００５】このことは怪我が治るための過程に悪影響を及ぼすだけでなく、血流が止まってしまったような場合にはそのこと自体が人体に対して壊死のような重大な問題を発生させてしまう場合もある。
このようなことが起きないようにするためにギプス包帯を緩く巻くと患部に対する必要な支持力が低下して怪我の回復に支障をきたすし、腫れ方の度合いに合わせてギプス包帯を巻きなおしたりすると、きつさが増すたびに一日に何度も巻きなおしが必要になったり、夜間にきつさが増して巻き直すなどの対応が必要となったりするという課題があった。
【課題を解決するための手段】
【０００６】課題を解決するための手段を人間の手の部分への使用例を基に説明を行う。
図１５、図１６、図１７、図１８に示す素材１１０と１２０は固定しようとする人体の患部の形状に適合することができる柔軟性を持ち、凹の部分１１１、１２１と凸の部分１１２、１２２をそれぞれ持つ。【０００７】素材の種類は熱可塑性素材や繊維で織ったものやゴム製のもので人体の皮膚に接触させても害の無いものを利用する。【０００８】図１５に示した形状を持つ素材１１０を使用した例では図８示すように手の患部に対して必要な大きさに裁断して凹凸を有する面を内側にして装着する。
その上からギプス包帯５０を図９のように巻き始め、必要な支持力が得られるようになるまで巻いていき、巻き終わった様子を図１０に示す。【０００９】図１１は巻き終わった様子を示す図１０の側面図で、図１２は２２の矢印の方向から見た図１１の５０に覆われた部分の内部を示している。【００１０】図１２で凸部分１１２が人体部分８１に接触して患部の支持をおこなう役割を果たし、凹部分１１１は人体８１との凸部分の高さの分だけ距離を置いた空間１１１を作る構造を有している。
この構造は図１１の１１０に示すように一枚の板状であることから連続していて、凹の部分は図１１の矢印１０で表現したように一本の溝を形成しており図１１の１と図１１の２の間に接している。
一方凸部分も同様に連続しているので一本の棒状の形態を持つこととなり、人体８１に接して患部の支持をする役割を果たすことができる。【００１１】本説明では素材１１０を手の周りに一周するような形態で装着した例を示しているが、怪我の程度や必要に応じて半周や部分的な装着方法で使用したとしても本発明の副子があたっている部分に関しては同じ効果が得られる。【００１２】図１１ではまだ怪我の直後にギプス包帯が巻かれた状態なので腫れは無く、５０をはさんでいても１と２の間の血流は正常であり、矢印２３の方向から見た図１２の５０に覆われた手の内部の図１２の７０で示す血管の様子も本来の血管の形状と機能を有している。
このように１１０のような形状を持つ副子をギプス５０と人体との間に介在さる方法で患部を固定する。
【発明の効果】
【００１３】怪我をした際に血管の損傷を伴っている時には人体の内部で損傷した血管から内出血が起こる。
その結果図１２の手の内部８１は膨らみ始めるが、図１２の５０と人体８１の間に介在する副子１１０の凹部１１１が形成する溝が存在することで、腫れて膨らんできた人体８１の部分が図１４の８２に示すようにその溝に押し出されるように入り込む。
このことによってギプス５０と人体８１の間で膨らもうとする８１と、それを阻もうとする５０の存在が起こす図１４の８１の内圧の上昇を防ぐことができる。【００１４】内圧が大きく上昇しないことで図１４の血管７０が扁平になったり押しつぶされたりして血流が不十分となる血管がでてくることを防ぐことができるので、血流に重大な支障をきたすことがなくなる。
加えて図１３の１０の矢印が示すように、図１３の５０を挟んで図１３の人体末梢側１と図１３の中枢側２とは１１０の副子の凹部分が形成する溝によって交通していて、その溝に内圧で押し出された図１３の血管７１は内圧に影響されること無く本来の血流を維持できる。
これらのことから仮に図１４の凹部分１１１を満たしてしまうような大きな腫れが出現したとしても、腫れを構成する内出血成分は図１３の矢印１０に示す交通路を通って図１３の５０に覆われた部分から図１３の１または２の方向に排出されるので大きな問題を引き起こすとがなくなる。
これらのことから本発明の副子を怪我の患部に使用することは血流が不安定になったり止まったりする危険を解決する効果が得られる。【００１５】本発明の説明で使用した素材１１に替えて図１７と図１８に示すような板状の可塑性素材を変形させて作った１２０を使用してもまったく同じ効果を得ることができる。
【発明を実施するための最良の形態】
【００１６】図１は人間の手におけるギプス包帯を用いての実施形態例を示しているが、可塑性素材や布製の包帯などで環状に巻いても同様の結果を得ることができる。
図１の６０の素材は天然樹脂、合成樹脂、合成繊維、熱硬化性樹脂、熱可塑性樹脂などで作られたものでも本発明の形態を持っていれば同じ効果が得られる。
図２の６０、図３の６０は最良の実施形態を示すために図１７、図１８に示す形状の素材を使用して作った副子を示していて、それぞれに凹部６２、凸部６１を持つ。
図１で、手の患部に装着された副子６０は矢印１０に示す溝を持っておりその上から巻かれたギプス包帯５０との間で血流の確保をおこなう。
【産業上の利用可能性】
【００１７】骨折や捻挫や脱臼などの怪我で副子を必要とするような場合に、血流が阻害されない性質を持つ本発明の副子は医療分野で広く使用されることが期待できる。
【本発明で使用した語句の定義】
【００１８】「ギプス包帯」焼石膏粉末と綿布を組み合わせ、それを水に浸すことで水和反応により凝固する性質を利用したものである。
「壊死」生物の組織の一部分が死ぬことである。
「出血」血管外に血球全成分が流出すること。
「内出血」皮膚の下で打ち身や打撲などのケガが原因で血管が損傷して起きている出血のことで臓器内の出血を除いたもの。
「血管」生体内で血液を運搬するための管で動脈、静脈、毛細血管の３種類をいう。
「患部」骨折や脱臼や捻挫などの外傷によって損傷した人体の局部のこと。
「副子」骨折や脱臼や捻挫などの外傷において患部に添えて外傷部分を固定するための機材の総称。
「血流」血液が心臓のポンプ機能によって押し出され、体内各所の細胞や臓器を回って、心臓に戻ってくる一連の血液循環のこと。
「副木」骨折や脱臼や捻挫などの外傷において患部に添えて外傷部分を固定するための機材の総称。
「天然樹脂」植物から採ったロジンや天然ゴムのこと。
「合成樹脂」高分子化合物からなる物質の中で、成型品や薄膜にして使用することを目的として人為的に製造されたもの。
「合成繊維」合成樹脂の糸を織って作られた布状の繊維物。
「熱硬化性樹脂」加熱すると重合を起こして高分子の網目構造を形成し、硬化して元に戻らなくなる樹脂のこと。
「熱可塑性樹脂」ガラス転移温度または融点まで加熱することによって軟らかくなり目的の形に成形できる樹脂のこと。
「外傷」外的要因による組織または臓器の損傷の総称で通常、怪我と呼ばれるもののこと。
【図面の簡単な説明】
【００１９】
【図１】図１８に示す製作例の素材を使用して人間の手に本発明を実施した場合の状態を示す模式図の斜視図である。
【図２】図１８に示す製作例の素材を丸めて円筒形にしたときの正面図である。
【図３】図１８に示す製作例の素材を丸めて円筒形にしたときの側面図である。
【図４】従来技術の方法で人間の手に包帯をまいたときの状態を示す側面図である。
【図５】従来技術の方法で人間の手に包帯をまいたときの状態を図４の矢印２０の方向から見て５０に覆われた部分の内部を示す正面図である。
【図６】従来技術の方法で人間の手にギプス包帯をまいたときに内出血が原因で５０の位置より末梢部１が循環障害を起こしている様子を斜線で示している。
【図７】従来技術の方法で人間の手にギプス包帯をまいたとき、人体の手が内出血により膨らもうとするのにギプス包帯がそれを阻害することで内圧が高まり血管７０が押しつぶされるようになる状態を示す模式図の断面図である。
【図８】図１１０に示す本発明による素材を人間の手に円筒形に巻いた状態を示す斜視図である。
【図９】図８の状態の手に対してギプス包帯を巻く様子を示す模式図の斜視図である。
【図１０】人間の手に図１１０で示す素材をあててギプス包帯を巻き固定した様子を示す模式図の斜視図である。
【図１１】図１０の側面図である。
【図１２】図１１の５０に覆われた部分の内部を図１１の矢印２２の方向から見た時の正面図である。
【図１３】図１１の状態で数時間以上の時間が経過した様子を示す模式図の側面図である。
【図１４】図１１の状態で数時間以上の時間が経過した図１１の５０に覆われた部分の内部を図１３の矢印２３の方向から見た時の正面図である。
【図１５】板状基材に凸型の基材を装備して連像した溝を持つようにした製作例の正面図である。
【図１６】板状基材に凸型の基材を装備して連像した溝を持つようにした製作例の斜視図である。
【図１７】板状の基材を凹凸が形成されるように加工して連像した溝を持つようにした製作例の正面図である。
【図１８】板状の基材を凹凸が形成されるように加工して連像した溝を持つようにした製作例の斜視図である。
【符号の説明】
【００２０】    １．人間の手の末梢側部分。
２．人間の手の中枢側部分。
１０．本発明の副子が持つ溝が手に平行して交通していることを表現した矢印。
２０．図５の視点方向を示す矢印。
２１．図７の視点方向を示す矢印。
２２．図１２の視点方向を示す矢印。
２３．図１４の視点方向を示す矢印。
５０．ギプス包帯が硬化して手を支持している様子を示す図。
６０．図１７、図１８で示した製作例の副子。
６１．図１７、図１８で示した製作例の副子の凸部分。
６２．図１７、図１８で示した製作例の副子の凹部分。
７０．人体の血管。
７１．人体の内圧によって１１１の溝に押し出された血管の状態を示す図。
８０．人体の骨。
８１．５０に覆われた部分の人体手の内部を示した図。
８２．内圧で８１が１１１に押し出された状態を示す図。
１１０．図１５、図１６で示す形状を有する副子。
１１１．図１５、図１６で示す形状を有する副子の凹部分。
１１２．図１５、図１６で示す形状を有する副子の凸部分。
１２０．図１７、図１８で示す形状を有する副子。
１２１．図１７、図１８で示す形状を有する副子の凹部分。
１２２．図１７、図１８で示す形状を有する副子の凸部分。
【図１】
2009285427.tif 000003
【図２】
2009285427.tif 000004
【図３】
2009285427.tif 000005
【図４】
2009285427.tif 000006
【図５】
2009285427.tif 000007
【図６】
2009285427.tif 000008
【図７】
2009285427.tif 000009
【図８】
2009285427.tif 000010
【図９】
2009285427.tif 000011
【図１０】
2009285427.tif 000012
【図１１】
2009285427.tif 000013
【図１２】
2009285427.tif 000014
【図１３】
2009285427.tif 000015
【図１４】
2009285427.tif 000016
【図１５】
2009285427.tif 000017
【図１６】
2009285427.tif 000018
【図１７】
2009285427.tif 000019
【図１８】
2009285427.tif 000020